(57)【要約】【課題】  釘頭部の有無に関わらず、容易に釘を抜くことができる作業効率の良い釘抜き装置を得ること。【解決手段】締付け電動工具に回転釘抜き本体を連結装着して該回転釘抜き本体を回転させることで、釘頭部の有無に関わらず不要な釘を抜くと言う目的を、回転釘抜き体の略Ｖ字状に形成した誘導部の釘抜き支持部に釘を嵌入支持させると共に該締付け電動工具の回転力と振動付加により、該回転釘抜き本体の外周に沿って巻付けるように釘を抜き、その時、釘が釘抜き支持部に食込むこと無く抜けるように釘抜き支持部を対面する略平行溝状に形成し、また長い釘も抜けるように筒状釘抜き体の複数の誘導部を対向する位置に配置している。【選択図】図１
2020099988.tif 000002
【特許請求の範囲】
【請求項１】
インパクトドライバーまたはインパクトレンチの締付け電動工具本体先端の回転連結部に連結装着する回転釘抜き本体に於いて、該回転釘抜き本体は、その基端側に該回転連結部に連結装着する連結部を設け、他方の先端側は内腔部を有する略ソケットレンチ状の筒状釘抜き体として形成し、また該筒状釘抜き体の先端から基端方向に略Ｖ字状で所定長さの切込みを形成して誘導部として複数箇所設け、該誘導部の略Ｖ字状の幅と、除去する釘の直径に対応する位置を釘抜き支持部として設けたことを特徴とする釘抜き装置。
【請求項２】
該誘導部の釘抜き支持部は、その内腔部側と外周側を略平行溝状であって、略Ｖ字状に狭まると共に対面するように形成した請求項１記載の釘抜き装置。
【請求項３】
該筒状釘抜き体の複数の誘導部は、対向する位置に配置した請求項１又は２記載の釘抜き装置。
【発明の詳細な説明】
【技術分野】
【０００１】  本発明は、建築現場等でコンクリート構造物に使用する型枠パネル等に打込まれた不要の釘を抜取るために使用する釘抜き装置に関する。
【背景技術】
【０００２】  従来、一般的に大工仕事などの釘抜き作業として、その釘の頭部を掛止すると共にテコの原理を応用した略Ｌ字状のバール等で引抜く釘抜きと、また、直接頭部をプライヤー等で狭持して力任せの引抜き作業が知られ、それぞれ釘抜き作業用の工具として使用されている。【０００３】  そして、建築現場等のコンクリート打設に関連する型枠工事で、コンクリート構造物から型枠を取外す型枠解体及びその解体後に、その型枠に打込まれた釘の抜取り作業をしているが、型枠には非情に多くの釘が使用され、多くの抜取り処理をしている。【０００４】  また、その型枠に使用される釘の中で天井吊下げ金具のインサートネジ（アンカー）を設置するために、予めインサートの釘を介して型枠にインサートネジが固定設置され、上述型枠の解体時に、そのインサートの釘は型枠と共に外され、その型枠に残った釘処理は、従来のバール等釘抜きの爪に釘を狭持させて、釘頭部がないため釘を爪で折曲げ方向に該バール等を捻るようにして抜取り除去し、またはプライヤー等で狭持して力任せの引抜き作業をしている。【０００５】  そしてその型枠は、取外しを前提に施行されるもので、コンクリート打設時の型枠の安定保持させる必要から釘を多く使用して型枠を固定しており、該型枠の解体時の釘の抜取り及び型枠解体後に残った釘の抜取り作業が必要となり、また上記インサートの釘も一つのインサートネジ（アンカー）に対して、一若しくは複数のインサートの釘を有するものがあり、その多くのインサートの釘の抜取り作業をしている。【０００６】  また、その組立て設置された型枠は、設置場所により非常に狭い場所も有ることから該バール等の釘抜きが入りにくい場所も有り、その作業は繁雑となっている。【０００７】  而して、先行技術として、一方向に長い金属製直管からなる円形筒状体と、円形筒状体の一端に設けられ、抜き取る釘の頭部側を挟み込むように先端が割れた割刃部４と、円形筒状体の他端側に着脱可能に設けられ、かつ円形筒状体を平面上で長手軸回りに少なくとも１８０度回転操作可能とする回転操作部材を備えた釘抜き工具で、瓦及び木工釘用に利用できるとする実施例が開示された「釘抜き工具」がある。（例えば、特許文献１参照）【０００８】  また、他の先行技術として、棒状の本体１の先端に前方に向けてＶ字状に開き、釘の頭部を係止する爪部２を形成、本体１の基端部に、回転駆動させるラチェット部５を設けるとともに、ラチェット部５には、本体１の軸心と直行する方向に棒状部材を差し込んでラチェット部５を介して本体１を回転させるための棒状部材との係合孔１３を設け、狭い場所の釘の頭部に、本体１の先端部の爪部２を差し込み係合させ、本体基部の係合孔１３に棒状部材を差し込んで、往復回動させることによって本体１を回転させ、爪部２に係合させた釘を爪部２に巻き取るようにして抜くとした実施例が開示される「釘抜き」がある。（例えば、特許文献２参照）
【先行技術文献】
【特許文献】
【０００９】
【特許文献１】実用新案登録第３１６２８７１号公報
【特許文献２】実用新案登録第３１９１６５５号公報
【発明の概要】
【発明が解決しようとする課題】
【００１０】  従来、一般的に使用される釘抜きは、釘の頭部をバール等の爪部で掛止してテコの原理で引抜くように除去するもので、頭部がない物については、バール等釘抜きの爪に釘を狭持させて、釘を爪で折曲げ方向に該バール等を捻るようにして抜取り除去し、若しくはプライヤー等で狭持して力任せの引抜きの作業となり、工具の交換及び力を要する作業で、また多くの釘を処理するには非情に繁雑な作業で作業時間を要し、従来の釘抜き作業は、繁雑で作業効率に欠けると言う課題があった。【００１１】  そこで、その一般的に使用されるバール等の釘抜きは、テコの原理を利用した物で容易に抜取れるが、そのバール等のハンドル部分の可動範囲がある程度確保できないと作業効率が落ち、また抜取りもでき無いこともあり、またそのバール等の爪に抜けた釘が食い込み、その爪から釘が外れず、一回一回抜けた釘を爪から取除く必要があり作業効率が悪くその課題を解決することが求められていた。【００１２】  また、インサートの釘のように頭部のない釘は、一般的に使用されるバール等の釘抜きでは掛止する頭部がないので上述した通常のように抜くことができず、その場合、バール等の釘抜きの爪で釘を捻るように曲げながら抜くか、プライヤー等で狭持して力任せに引抜く等力作業となり、その一本一本の力作業に伴い作業効率も悪くなり、また非情に疲れる作業となっていた。【００１３】  そして、上述のことから、引抜く釘の頭部に合わせ、つまり頭部の有無と釘頭の出具合により、バール等の釘抜き又はプライヤー等と、それぞれ釘の種類と作業内容により取替えの必要があり、釘の頭部の種類に関係なく効率良く抜き取り作業ができるものが求められていた。【００１４】  而して、先行技術である特許文献１の「釘抜き工具」は、円形筒状体の釘抜き工具の一端に設けられた割刃部４を、瓦の隙間から抜取る釘の頭部側に挿入し、その割刃部４で挟込むように釘の鍔を挟み、釘抜き工具のドライバ−差込穴１にドライバ−を差込み回転させ、また自在スパナーで係合部１から釘抜き工具を回転させて釘を抜取ることが記載されている。【００１５】  その特許文献１では、円形筒状体の一端に設けられた割刃部４が、その抜取る釘の頭部側を挟込むように抜くことが記載されていることから、釘頭部を有するものを対象としており、釘頭部が無い物は釘頭部に掛止できないので割刃部４に掛止して回転させて抜くことができず、またドライバ−かスパナ−で手動による断続した回転となるため、釘抜き作業に手間を要し、又硬く打込まれた釘は、さらに釘を緩めるような作用も無いので抜きづらく、よって釘頭部を有しない釘には抜取る作用が生じず、もっぱら釘頭部を掛止して抜くと言うもので、このことから釘頭部を有する釘の抜取り作業に限定され、このことから釘頭部を有しない釘は抜けないと言う課題が存在した。【００１６】  また、先行技術である特許文献２の「釘抜き」は、釘の頭部に、本体１の先端部の爪部２を差し込み係合させ、本体基部のラチェット部５の係合孔１３に棒状部材を差し込んで往復回動させることによって本体１を回転させ、爪部２に係合させた釘を爪部２に巻き取るようにして抜くことが記載されている。【００１７】  その特許文献２では、本体基部��ラチェット部５の係合孔１３に棒状部材を差し込んで往復回動させることによって本体１を回転させていることから、上述特許文献１と同様、釘頭部が無い物は釘の頭部４に掛止できないことから爪部２に掛止して回転させて抜くことができず、手動による断続した回動となるため、釘抜き作業に手間を要し、又硬く打込まれた釘は、さらに釘を緩めるような作用も無いので抜きづらく、よって釘頭部を有しない釘には抜取る作用が生じず、もっぱら釘頭部を掛止して抜くと言うもので、このことから釘頭部を有する釘の抜取り作業に限定され、このことから釘頭部を有しない釘は抜けないと言う課題が存在した。【００１８】  そこで上述各課題を解決するために本発明の目的とするところは、従来のテコの原理を応用する釘頭部を釘抜きの爪部に掛止して引き起すように抜く略Ｌ字状のバール等の釘抜き及びプライヤー等で狭持して引抜く工具とは異にし、本発明は、略Ｖ字状の誘導部を有する筒状釘抜き体を設けた回転釘抜き本体を、インパクトドライバーまたはインパクトレンチの締付け電動工具に連結させた釘抜き装置で、該誘導部の釘抜き支持部に釘を支持させると共に該釘に回転方向に振動を加えながら該回転釘抜き本体に釘を巻付けるようにして抜くもので、その目的の効果も抜く釘の頭部の有無及び硬く打込まれた釘も容易に釘抜き作業を可能とし、また、現状で多く使用される汎用な該電動工具に、簡易に該回転釘抜き本体を装着することで、軽度な作業で迅速に釘抜きができ、その作業性と迅速な釘抜きでコストの改善も図れる釘抜きを提供することにある。
【課題を解決するための手段】
【００１９】  本発明は、上記課題を達成するために第１の解決手段として、インパクトドライバーまたはインパクトレンチの締付け電動工具本体先端の回転連結部に連結装着する回転釘抜き本体に於いて、該回転釘抜き本体は、その基端側に該回転連結部に連結装着する連結部を設け、他方の先端側は内腔部を有する略ソケットレンチ状の筒状釘抜き体として形成し、また該筒状釘抜き体の先端から基端方向に略Ｖ字状で所定長さの切込みを形成して誘導部として複数箇所設け、該誘導部の略Ｖ字状の幅と、除去する釘の直径に対応する位置を釘抜き支持部として設けたことにより、
該締付け電動工具本体に連結装着された回転釘抜き本体の釘抜き支持部から引抜く釘に回転を与えると共に振動を加えることによって、筒状釘抜き体の外周に沿って釘を折曲げながら巻付けるように引抜くとしている。【００２０】  なお、本発明に示すインパクトドライバまたはインパクトレンチは、一般市販品のビスなどの締付け電動工具で、回転と一定以上のトルクにより発生する振動を加えながらビスを強力に締め付ける機能を持った工具である。【００２１】  また、第２の解決手段として、該誘導部の釘抜き支持部は、その内腔部側と外周側を略平行溝状であって、略Ｖ字状に狭まると共に対面するように形成したことにより、
該誘導部の略平行溝状の釘抜き支持部とする位置まで引抜く釘を嵌入し、該釘を釘抜き支持部に支持固定させた状態で、該締付け電動工具で回転釘抜き本体を回転させることにより、筒状釘抜き体が回転方向に釘を折曲げるように外周に沿って釘を折曲げながら巻付けるように引抜き、該抜けた釘が釘抜き支持部に食込むこと無くその抜けた釘が回転力により自ら外れる。【００２２】  また、第３の解決手段として、該筒状釘抜き体の複数の誘導部は、対向する位置に配置したことにより、
該筒状釘抜き体の直径より引抜く釘が長く突出している場合、該筒状釘抜き体の下側の誘導部から上側の誘導部へ突出させた状態で、上述該回転釘抜き本体の外周に沿って釘を折曲げながら巻付けるように引抜くとしている。
【発明の効果】
【００２３】  本発明は、上述したそれぞれの手段によって有効な効果を得ようとするもので、特に、第１の解決手段の、該締付け電動工具により筒状釘抜き体に回転と振動を加えながら釘を引抜くその効果は、
該筒状釘抜き体の誘導部に、釘を嵌入支持させると共に回転と振動を加えることで、該筒状釘抜き体の外周に沿って釘を折曲げながら巻付けるように抜くことにより、釘の頭部の有無に関係なく、また従来の釘抜きのようにハンドル部で断続動作を繰返しすることで引抜くのではなく、締付け電動工具の回転力と振動で釘抜き作業することで、軽度な作業で迅速に釘抜きができ、よってコストの改善も図れる。【００２４】  また、図１３に示す従来例の釘抜き作業のように、抜く釘９ａに対して釘抜き１７の引っ掛け爪の間に掛止させるときの方向性に制約が有り、つまり、図１３の矢視ａ、ｂからの方向は、テコの支点が取れるので抜くことが可能であるが、矢視ｃ方向からは、テコの支点が取れる幅が無いのでそのままでは抜くことができず、抜く方向性に制約が生じ、本発明はその支点の制約が無いことにより作業性の改善と迅速な釘抜ききでコストの改善も図れる。【００２５】  さらに、従来、型枠に使用される堅い木等は、釘の入り込みも硬く非情に抜きづらいが、締付け電動工具の振動の付加により釘が緩みやすく、釘抜き作業も容易にできる。【００２６】  而して、第２の解決手段の、該誘導部の釘抜き支持部は、その内腔部側と外周側を略平行溝状であって、略Ｖ字状に狭まると共に対面するように形成するその効果は、
略Ｖ字状の誘導部に形成された平行溝状の対面する釘抜き支持部で、引抜く釘を支持させることにより、該釘抜き支持部が釘を支持固定し、その支持により抜くときの振動と回転により筒状釘抜き体が擦れること無く、該釘を該筒状釘抜き体の外周に沿って折曲げ巻付けるようにして抜けるので、釘の頭部の有無に関係なく引抜きができ、またその時、抜けた釘が該釘抜き支持部に食込むことも無く、従来のように爪に食込んだ抜けた釘を、その都度、取除く事必要もなく、抜取った釘は、その回転により釘抜き支持部から釘が自ら外れるので、連続して釘抜き作業ができ作業効率がよい。【００２７】  そしてまた、その上述した釘が爪に食込む事について、従来のバールなどの爪は、爪の先端よりＶ字状に形成されると共にそのＶ字状の内側が鋭角に形成された爪であるため、釘を抜く時、テコの原理で抜くことは、Ｖ字状の奥方向に力が作用し、該爪で掛止する釘頭部の根元近傍に鋭角に形成された爪が食込み、特にその使用する木が堅い場合、大きな引抜き力が必要となり、これにより打込まれた釘の頭部が引きちぎれるほど該爪に食込み、よってその都度、抜取った釘を該爪から取除く手間を要し、本願発明は、Ｖ字状の誘導部を略平行溝状で釘抜き支持部が対面するように形成しているので、釘が釘抜き支持部に食込むことなく、尚且つ該平行溝に固定支持されることで釘を抜く時、筒状釘抜き体が擦れること無く安定して抜くことができる。【００２８】  而して、第３の解決手段の形成するその効果は、該筒状釘抜き体の複数の誘導部は、そのそれぞれが対向する位置に配置したその効果は、
打込まれた釘が、該筒状釘抜き体の直径より長く突出している場合、該筒状釘抜き体の下側の誘導部より上側の誘導部へ突出させた状態で釘の引抜きすることで、釘の長さに関係なく引抜く事ができる。よって、本願発明は、実用上著大な効果を奏する。
【図面の簡単な説明】
【００２９】
【図１】  本発明の釘抜き装置１の正面図である。
【図２】  回転釘抜き本体３の斜視図である。
【図３】  他の実施例の回転釘抜き本体３ａの正面図である。
【図４】  他の実施例の回転釘抜き本体３ａの左側面図である。
【図５】  型枠１１の実施例を示す要部の正面図である。
【図６】  型枠１１ａにインサートネジ（アンカー）１３を使用する施工例で、施工手順を示す要部の正面図である。
【図７】  回転釘抜き本体３ａで型枠１１の釘９ａを抜く状態を示す要部の左側面図である。
【図８】  回転釘抜き本体３ａで型枠１１の釘９ａを抜く状態を示す要部の平面断面図である。
【図９】  回転釘抜き本体３ａで釘９ａを抜く状態を示す要部の平面断面図である。
【図１０】  回転釘抜き本体３ａで釘９ａを抜く一連の動作状態を示す要部の左側面図である。
【図１１】  回転釘抜き本体３ａでインサートの釘１４を抜く状態を示す要部の正面断面図である。
【図１２】  回転釘抜き本体３ａでインサートの釘１４を抜く状態を示す要部の左側面図である。
【図１３】  従来例の釘抜き１７で釘を抜く使用例を示す要部の斜視図である。
【発明を実施するための形態】
【００３０】  第１の実施例の釘抜き装置は、回転釘抜き本体の筒状釘抜き体に略Ｖ字状に形成した誘導部を設けると共に釘を支持固定する釘抜き支持部も設け、一方インパクトドライバーまたはインパクトレンチの締付け電動工具に該回転釘抜き本体を連結装着して釘抜きに使用するので、
その釘を釘頭部の有無に関わらず容易な軽作業で抜くと言う課題を、
該締付け電動工具の回転力と振動により、誘導部の釘抜き支持部に支持固定させた釘を、該筒状釘抜き体の外周に沿って巻付けるように抜くことで、釘頭部の有無に関わらず容易な軽作業で釘を抜くことを実現させた。
【００３１】  また、第２の実施例の釘抜き支持部は、その内腔部側と外周側を略平行溝状であって、略Ｖ字状に狭まると共に対面するように形成しているので、
前述第１の実施例に記載した目的に加え、抜けた釘が該釘抜き支持部に食込むことなく抜くと言う課題を、
略Ｖ字状の釘抜き支持部を略平行溝状に形成したことで、該平行溝に釘を支持固定させて筒状釘抜き体が擦れること無く、釘を該筒状釘抜き体の外周に沿って巻付けるように抜くことで、抜けた釘が該釘抜き支持部に食込むことなく釘抜き支持部から釘が自ら外れるのを実現させた。
【００３２】  また、第３の実施例の複数の誘導部は、それぞれ対向する位置に配置しているので、
上述第１及び第２の実施例に記載した課題に加え、打込まれて長く突出した釘も抜けると言う課題を、
複数の誘導部を対向する位置に配置させることで、長く突出する該釘を下側の誘導部から上部側の誘導部を突き抜けさせた状態で、締付け電動工具の回転力と振動により、該筒状釘抜き体の外周に沿って巻付けるように抜くことで実現させた。
【実施例】
【００３３】  本発明の各実施例を図面に基づいて説明すると、先ず、図１に示す実施例の１は、釘抜き装置で、該釘抜き装置１は、一般市販品のビスなどネジ部材の締付け等に使用するインパクトドライバーまたはインパクトレンチの締付け電動工具２と回転釘抜き本体３を有し、また締付け電動工具２には、通常品にはドライバー等のビット工具を着脱する回転連結部４が設けられている。【００３４】  そこで、図２に示す実施例の回転釘抜き本体３は、その基端側に回転連結部４に連結装着する連結部５を設け、他方の先端側は内腔部６を有する略ソケットレンチ状の筒状釘抜き体７を形成している。【００３５】  そして、図２に示す該筒状釘抜き体７は、筒状釘抜き体７の先端から基端方向に略Ｖ字状で所定長さの切込みを形成して誘導部８，８として対向する位置にそれぞれ二箇所配置して設け、該誘導部８，８の略Ｖ字状に狭まり、且つ除去する釘９の直径に相当する奥側の適合位置に釘抜き支持部１０，１０として設け、該釘抜き支持部１０，１０は、内腔部側と外周側を略平行溝状であって、略Ｖ字状に狭まると共に対面するように形成し、その略Ｖ字状に狭まる幅で釘９を支持固定する。
なお、図２に示す釘９は、頭部のない除去する釘９を例示している。【００３６】  而して、図３の回転釘抜き本体３ａは、他の実施例の回転釘抜き本体３ａで、図２に示す回転釘抜き本体３の誘導部８をさらに二箇所追加して四箇所とし、筒状釘抜き体７ａに四箇所それぞれ配置して上述した図２の誘導部８と同様に設けている。【００３７】  また、図３及び図４に示す釘９ａは、頭部を有する除去する釘９ａを例示している。【００３８】  而して、図５は、建築現場等のコンクリート打設に関連するコンクリート構造物に使用する型枠１１で、該型枠１１を釘９ａにより連結組み合わせてコンクリート構造物の型枠として組上げ、コンクリート打設硬化後、該型枠を解体取外し、その時、図示のように型枠１１に打込まれた該釘９ａ，９ａ，…を抜いて取外し、また型枠１１に残った釘９ａはその後抜いて型枠処理の解体が完了する。【００３９】  而して、図６は、建築現場等のコンクリート打設に関連するコンクリート構造物に使用する型枠１１ａの板体１２で、その型枠１１ａは、天井吊下げ金具のインサートネジ１３（アンカー）を設置するために、予めインサートネジ１３を型枠１１ａの板体１２にインサートの釘１４，１４，１４を介して固定設置される。【００４０】  そして、その図６に示す使用例に於いて、図示する各（ａ）、（ｂ）、（ｃ）は、先ず図示（ａ）について、型枠１１ａの板体１２のコンクリート打設側にインサートの釘１４，１４，１４を介してインサートネジ１３をハンマー等１５で打込み固定設置し、（ｂ）は、インサートネジ１３が固定設置された状態でコンクリート打設が行われ、（ｃ）は、コンクリート打設硬化後、型枠１１ａの板体１２を解体取外すと、インサートネジ１３はコンクリート構造物１６に埋め込まれた状態で残り、そしてインサートの釘１４，１４，１４は、型枠１１ａの板体１２に残った状態で取外されたものを示し、各（ａ）、（ｂ）、（ｃ）は、一連の工程手順を示している。【００４１】  而して、上述した図５に示す型枠１１及び図６に示す型枠１１ａの使用例に於いて、先ず図７に示す型枠１１についての使用例は、型枠１１の釘９ａを抜く状態を示す一使用例で、予め締付け電動工具２の回転連結部４に連結部５を介して回転釘抜き本体３ａを連結装着した釘抜き装置１で、型枠１１の釘９ａを抜く使用例である。【００４２】  そこで、該釘抜き装置１で型枠１１の釘９ａを抜くとき、図７及び図８に示すように、筒状釘抜き体７ａの誘導部８を該釘９ａに差入れ、該誘導部８の略Ｖ字状に狭まると共に対面する位置に該釘９ａが狭持状に当接支持され、その当接支持位置を該釘９ａの釘抜き支持部１０とすると共に支持基準位置とし、その支持基準位置で、締付け電動工具２により回転と一定以上のトルクにより発生する振動を持って回転させる。【００４３】  その上述した回転釘抜き本体３ａの回転による型枠１１の釘９ａへの作用は、先ず、図９及び図１０の（ａ）に示すように誘導部８を釘９ａに差入れ、該釘９ａを狭持状に支持基準位置の釘抜き支持部１０で当接支持させ、その状態で筒状釘抜き体７ａを回転させると、図１０の（ｂ）に示すように釘抜き支持部１０で狭持状に当接支持された釘９ａが折曲げられると共に該筒状釘��き体７ａの外周に沿って巻付けるように回転方向に振動を加えながら引抜き、その回転の時の振動は、一般市販品のインパクトドライバまたはインパクトレンチの締付け電動工具２で回転と一定以上のトルクにより発生する振動を加えながら回転させている。【００４４】  そして、該筒状釘抜き体７ａのその引抜き作用は、釘抜き支持部１０で狭持状に当接支持された釘９ａが折曲げられ引抜かれるとき、図１０の（ｃ）に示すように釘９ａに加わる回転方向の主に（ロ）（ハ）の部分に回転力が作用して折曲げられ、図１０の（ｂ）に示すように釘抜き支持部１０で狭持状に当接支持され、その釘９ａが該筒状釘抜き体７ａの外周に沿って巻付けられるように回転方向に振動を加えながら引抜かれる。【００４５】  而して、図１１及び図１２に示すインサートネジ１３は、前記図６に示す頭部を持たないインサートの釘１４，１４，１４の引抜き状態を示し、その引抜き状態は、上述した図１０の実施例と略同様で、概説すると図１１及び図１２の（ａ）に示すように誘導部８をインサートの釘１４に差入れ、該インサートの釘１４を狭持状に釘抜き支持部１０で当接支持させ、その状態で筒状釘抜き体７ａを回転させて、該筒状釘抜き体７ａの外周に沿って巻付けられるようにインサートの釘１４に回転方向に振動を加えながら該筒状釘抜き体７ａを回転させて該インサートの釘１４が引抜かれる。【００４６】  なお、釘９，９ａ及びインサートの釘１４の長さが、筒状釘抜き体７，７ａの直径より長い場合は、下側の誘導部８から上部側の誘導部８より突出させた状態で使用する。【００４７】  また、本実施例で例示するインサートネジ１３は、一般市販品の釘頭部のないインサートの釘１４が３本組込まれてセットされたもので、他に２本、１本等用途に合わせてその他頭部のあるものなど、多数存在する。
【産業上の利用可能性】
【００４８】  本発明は、建築現場等でコンクリート構造物に使用する型枠パネル等に打込まれた釘または他の構造物等の木材等の不要釘を抜取る釘抜きに使用できる。
【符号の説明】
【００４９】  １  釘抜き装置
２  締付け電動工具
３，３ａ  回転釘抜き本体
４  回転連結部
５  連結部
６  内腔部
７，７ａ  筒状釘抜き体
８  誘導部
９  釘（無頭釘）
９ａ  釘（有頭釘）
１０  釘抜き支持部
１４  インサートの釘
【図１】
2020099988.tif 000003
【図２】
2020099988.tif 000004
【図３】
2020099988.tif 000005
【図４】
2020099988.tif 000006
【図５】
2020099988.tif 000007
【図６】
2020099988.tif 000008
【図７】
2020099988.tif 000009
【図８】
2020099988.tif 000010
【図９】
2020099988.tif 000011
【図１０】
2020099988.tif 000012
【図１１】
2020099988.tif 000013
【図１２】
2020099988.tif 000014
【図１３】
2020099988.tif 000015
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
インパクトドライバーまたはインパクトレンチの締付け電動工具本体先端の回転連結部に連結装着する回転釘抜き本体に於いて、該回転釘抜き本体は、その基端側に該回転連結部に連結装着する連結部を設け、他方の先端側は内腔部を有する略ソケットレンチ状の筒状釘抜き体として形成し、また該筒状釘抜き体の先端から基端方向に略Ｖ字状で所定長さの切込みの溝を形成して誘導部として複数箇所設け、該誘導部の略Ｖ字状の奥側が連続して狭まる溝幅を、釘のサイズ違いの胴部径に適合する程度に狭まるように形成すると共にその溝幅と、除去する該釘の胴部径に対応する位置を釘抜き支持部として設けたことを特徴とする無頭釘の釘抜き装置。
【請求項２】
該緩やかに狭まる溝幅の釘抜き支持部は、筒状釘抜き体の外周側から内腔部側に陥没するように直角に開設すると共にその陥没壁面同志が対面する溝に形成した請求項１記載の無頭釘の釘抜き装置。
【請求項３】
該筒状釘抜き体の複数の誘導部及び釘抜き支持部は、該誘導部及び釘抜き支持部同志が筒状釘抜き体の内腔部を介してそれぞれが対向する位置に配置した請求項１又は２記載の無頭釘の釘抜き装置。
【手続補正２】
【補正対象書類名】明細書
【補正対象項目名】全文
【補正方法】変更
【補正の内容】
【発明の詳細な説明】
【技術分野】
【０００１】  本発明は、建築現場等でコンクリート構造物に使用する型枠パネル等に打込まれた不要の釘を抜取るために使用する無頭釘の釘抜き装置に関する。
【背景技術】
【０００２】  従来、一般的に大工仕事などの釘抜き作業として、その釘の頭部を掛止すると共にテコの原理を応用した略Ｌ字状のバール等で引抜く釘抜きと、また、直接頭部をプライヤー等で狭持して力任せの引抜き作業が知られ、それぞれ釘抜き作業用の工具として使用されている。【０００３】  そして、建築現場等のコンクリート打設に関連する型枠工事で、コンクリート構造物から型枠を取外す型枠解体及びその解体後に、その型枠に打込まれた釘の抜取り作業をしているが、型枠には非情に多くの釘が使用され、多くの抜取り処理をしている。【０００４】  また、その型枠に使用される釘の中で天井吊下げ金具のインサートネジ（アンカー）を設置するために、予めインサートの釘を介して型枠にインサートネジが固定設置され、上述型枠の解体時に、そのインサートの釘は型枠と共に外され、その型枠に残った釘処理は、従来のバール等釘抜きの爪に釘を狭持させて、釘頭部がないため釘を爪で折曲げ方向に該バール等を捻るようにして抜取り除去し、またはプライヤー等で狭持して力任せの引抜き作業をしている。【０００５】  そしてその型枠は、取外しを前提に施行されるもので、コンクリート打設時の型枠の安定保持させる必要から釘を多く使用して型枠を固定しており、該型枠の解体時の釘の抜取り及び型枠解体後に残った釘の抜取り作業が必要となり、また上記インサートの釘も一つのインサートネジ（アンカー）に対して、一若しくは複数のインサートの釘を有するものがあり、その多くのインサートの釘の抜取り作業をしている。【０００６】  また、その組立て設置された型枠は、設置場所により非常に狭い場所も有ることから該バール等の釘抜きが入りにくい場所も有り、その作業は繁雑となっている。【０００７】  而して、先行技術として、一方向に長い金属製直管からなる円形筒状体と、円形筒状体の一端に設けられ、抜き取る釘の頭部側を挟み込むように先端が割れた割刃部４と、円形筒状体の他端側に着脱可能に設けられ、かつ円形筒状体を平面上で長手軸回りに少なくとも１８０度回転操作可能とする回転操作部材を備えた釘抜き工具で、瓦及び木工釘用に利用できるとする実施例が開示された「釘抜き工具」がある。（例えば、特許文献１参照）【０００８】  また、他の先行技術として、棒状の本体１の先端に前方に向けてＶ字状に開き、釘の頭部を係止する爪部２を形成、本体１の基端部に、回転駆動させるラチェット部５を設けるとともに、ラチェット部５には、本体１の軸心と直行する方向に棒状部材を差し込んでラチェット部５を介して本体１を回転させるための棒状部材との係合孔１３を設け、狭い場所の釘の頭部に、本体１の先端部の爪部２を差し込み係合させ、本体基部の係合孔１３に棒状部材を差し込んで、往復回動させることによって本体１を回転させ、爪部２に係合させた釘を爪部２に巻き取るようにして抜くとした実施例が開示される「釘抜き」がある。（例えば、特許文献２参照）
【先行技術文献】
【特許文献】
【０００９】
【特許文献１】実用新案登録第３１６２８７１号公報
【特許文献２】実用新案登録第３１９１６５５号公報
【発明の概要】
【発明が解決しようとする課題】
【００１０】  従来、一般的に使用される釘抜きは、釘の頭部をバール等の爪部で掛止してテコの原理で引抜くように除去するもので、頭部がない物については、バール等釘抜きの爪に釘を狭持させて、釘を爪で折曲げ方向に該バール等を捻るようにして抜取り除去し、若しくはプライヤー等で狭持して力任せの引抜きの作業となり、工具の交換及び力を要する作業で、また多くの釘を処理するには非常に繁雑な作業で作業時間を要し、従来の釘抜き作業は、繁雑で作業効率に欠けると言う課題があった。【００１１】  そこで、その一般的に使用されるバール等の釘抜きは、テコの原理を利用した物で容易に抜取れるが、そのバール等のハンドル部分の可動範囲がある程度確保できないと作業効率が落ち、また抜取りもでき無いこともあり、またそのバール等の爪に抜けた釘が食い込み、その爪から釘が外れず、その都度、抜けた釘を爪から取除く必要があり作業効率が悪くその課題を解決することが求められていた。【００１２】  また、インサートの釘のように頭部のない釘は、一般的に使用されるバール等の釘抜きでは掛止する頭部がないので上述した通常のように抜くことができず、その場合、バール等の釘抜きの爪で釘を捻るように曲げながら抜くか、プライヤー等で狭持して力任せに引抜く等力作業となり、その一本一本の力作業に伴い作業効率も悪くなり、また非情に疲れる作業となっていた。【００１３】  そして、上述のことから、引抜く釘の頭部に合わせ、つまり頭部の有無と釘頭の出具合により、バール等の釘抜き又はプライヤー等と、それぞれ釘の種類と作業内容により取替えの必要があり、釘の頭部の種類に関係なく効率良く抜き取り作業ができるものが求められていた。【００１４】  而して、先行技術である特許文献１の「釘抜き工具」は、円形筒状体の釘抜き工具の一端に設けられた割刃部４を、瓦の隙間から抜取る釘の頭部側に挿入し、その割刃部４で挟込むように釘の鍔を挟み、釘抜き工具のドライバ−差込穴１にドライバ−を差込み回転させ、また自在スパナーで係合部１から釘抜き工具を回転させて釘を抜取ることが記載されている。【００１５】  その特許文献１では、円形筒状体の一端に設けられた割刃部４が、その抜取る釘の頭部側を挟込むように抜くことが記載されていることから、釘頭部を有するものを対象としており、釘頭部が無い物は釘頭部に掛止できないので割刃部４に掛止して回転させて抜くことができず、またドライバ−かスパナ−で手動による断続した回転となるため、釘抜き作業に手間を要し、又硬く打込まれた釘は、さらに釘を緩めるような作用も無いので抜きづらく、よって釘頭部を有しない釘には抜取る作用が生じず、もっぱら釘頭部を掛止して抜くと言うもので、このことから釘頭部を有する釘の抜取り作業に限定され、このことから釘頭部を有しない釘は抜けないと言う課題が存在した。【００１６】  また、先行技術である特許文献２の「釘抜き」は、釘の頭部に、本体１の先端部の爪部２を差し込み係合させ、本体基部のラチェット部５の係合孔１３に棒状部材を差し込んで往復回動させることによって本体１を回転させ、爪部２に係合させた釘を爪部２に巻き取るようにして抜くことが記載されている。【００１７】  その特許文献２では、本体基��のラチェット部５の係合孔１３に棒状部材を差し込んで往復回動させることによって本体１を回転させていることから、上述特許文献１と同様、釘頭部が無い物は釘の頭部４に掛止できないことから爪部２に掛止して回転させて抜くことができず、手動による断続した回動となるため、釘抜き作業に手間を要し、又硬く打込まれた釘は、さらに釘を緩めるような作用も無いので抜きづらく、よって釘頭部を有しない釘には抜取る作用が生じず、もっぱら釘頭部を掛止して抜くと言うもので、このことから釘頭部を有する釘の抜取り作業に限定され、このことから釘頭部を有しない釘は抜けないと言う課題が存在した。【００１８】  そこで上述各課題を解決するために本発明の目的とするところは、従来のテコの原理を応用する釘頭部を釘抜きの爪部に掛止して引き起すように抜く略Ｌ字状のバール等の釘抜き及びプライヤー等で狭持して引抜く工具とは異にし、本発明は、略Ｖ字状の誘導部を有する筒状釘抜き体を設けた回転釘抜き本体を、インパクトドライバーまたはインパクトレンチの締付け電動工具に連結させた釘抜き装置で、該誘導部の釘抜き支持部に釘を支持させると共に該釘に回転方向に振動を加えながら該回転釘抜き本体に釘を巻付けるようにして抜くもので、その目的の効果も抜く釘の頭部の有無及び硬く打込まれた釘も容易に釘抜き作業を可能とし、また、現状で多く使用される汎用な該電動工具に、簡易に該回転釘抜き本体を装着することで、軽度な作業で迅速に釘抜きができ、その作業性と迅速な釘抜きでコストの改善も図れる釘抜きを提供することにある。
【課題を解決するための手段】
【００１９】  本発明は、上記課題を達成するために第１の解決手段として、インパクトドライバーまたはインパクトレンチの締付け電動工具本体先端の回転連結部に連結装着する回転釘抜き本体に於いて、該回転釘抜き本体は、その基端側に該回転連結部に連結装着する連結部を設け、他方の先端側は内腔部を有する略ソケットレンチ状の筒状釘抜き体として形成し、また該筒状釘抜き体の先端から基端方向に略Ｖ字状で所定長さの切込みの溝を形成して誘導部として複数箇所設け、該誘導部の略Ｖ字状の奥側が連続して狭まる溝幅を釘のサイズ違いの胴部径に適合する程度の緩やかさで狭まるように形成すると共にその溝幅と、除去する該釘の胴部径に対応する位置を釘抜き支持部として設けたことにより、
該締付け電動工具本体に連結装着された回転釘抜き本体の釘抜き支持部から振動と回転力を引抜く釘に加えることで、筒状釘抜き体の外周に沿って釘を折曲げながら巻付けるように引抜くとしている。【００２０】  なお、本発明に示すインパクトドライバまたはインパクトレンチは、一般市販品のビスなどの締付け電動工具で、回転と一定以上のトルクにより発生する回転方向に振動の衝撃を加えながらビスを強力に締め付ける機能を持った工具である。【００２１】  また、第２の解決手段として、該緩やかに狭まる溝状の釘抜き支持部は、筒状釘抜き体の外周側から内腔部側に陥没するように直角に開設すると共にその陥没壁面同志が対面する溝に形成したことにより、
誘導部から釘抜き支持部を引抜く釘の胴部径に対応する位置まで嵌入すると共に該釘を釘抜き支持部に支持させた状態で、該締付け電動工具で回転釘抜き本体を振動回転させることにより、筒状釘抜き体の釘抜き支持部が回転方向に釘を折曲げるようにその外周に沿って釘を折曲げながら巻付けるように引抜き、該抜けた釘が釘抜き支持部に食込むこと無くその抜けた釘が回転力により自ら外れる。【００２２】  また、第３の解決手段として、該筒状釘抜き体の複数の誘導部及び釘抜き支持部は、該誘導部及び釘抜き支持部同志が筒状釘抜き体の内腔部を介してそれぞれが対向する位置に配置したことにより、
該筒状釘抜き体の直径より引抜く釘が長く突出している場合、その長く突出した釘を該筒状釘抜き体の下側の誘導部から上側の誘導部まで突出させた状態で、上述したように該回転釘抜き本体の外周に沿って釘を折曲げながら巻付けるように引抜く。
【発明の効果】
【００２３】  本発明は、上述したそれぞれの手段によって有効な効果を得ようとするもので、特に、第１の解決手段の、該締付け電動工具により筒状釘抜き体に回転方向の振動と回転力を加えながら釘を引抜く事と、該誘導部の略Ｖ字状の奥側が連続して狭まる溝幅を釘の各サイズの胴部径に適合する程度の緩やかさで狭まるように形成し、その溝幅と除去する該釘の胴部径に対応する位置を釘抜き支持部とするその効果は、
該筒状釘抜き体の誘導部の釘抜き支持部に、釘を嵌入支持させると共に回転方向の振動と回転力を加えることで、該筒状釘抜き体の外周に沿って釘を釘抜き支持部が支持した状態で折曲げながら巻付けるように抜くことにより、釘の頭部の有無に関係なく、また従来の釘抜きのようにハンドル部で断続動作を繰返しすることで引抜くのではなく、インパクトドライバーまたはインパクトレンチの締付け電動工具の回転方向の振動の衝撃力と回転力で釘抜き作業することで、軽度な作業で迅速に釘抜きができ、よってコストの改善も図れる。【００２４】  また、図１３に示す従来例の釘抜き作業のように、抜く釘９ａに対して釘抜き１７の引っ掛け爪の間に掛止させるときの方向性に制約が有り、つまり、図１３の矢視ａ、ｂからの方向は、テコの支点が取れるので抜くことが可能であるが、矢視ｃ方向からは、テコの支点が取れる幅が無いのでそのままでは抜くことができず、抜く方向性に制約が生じ、本発明はその支点の制約が無いことにより作業性の改善と迅速な釘抜きでコストの改善も図れる。【００２５】  さらに、従来、型枠に使用される堅い木等は、釘の入り込みも硬く非情に抜きづらいが、締付け電動工具の振動の付加による回転で釘が緩みやすく、釘抜き作業も容易にできる。【００２６】  而して、第２の解決手段の、該緩やかに狭まる溝幅の釘抜き支持部は、筒状釘抜き体の外周側から内腔部側に陥没するように直角に開設すると共にその陥没壁面同志が対面する溝に形成したその効果は、
緩やかに狭まる溝幅のその対面が釘抜き支持部で、引抜く釘を溝対面で支持させることにより筒状釘抜き体が釘から擦れること無く、抜くときの回転方向の振動の衝撃力と回転力により該釘を該筒状釘抜き体の外周に沿って該引抜く釘を折曲げ巻付けるようにして抜くので、釘の頭部の有無に関係なく引抜きができ、またその時、釘の胴部を面で支持しているので、抜けた釘が該釘抜き支持部に食込むことも無く、従来のように爪に食込んだ抜けた釘を、その都度、取除く事必要もなく、抜取った釘は、その回転により釘抜き支持部から釘が自ら外れるので、連続して釘抜き作業ができ作業効率がよい。【００２７】  そしてまた、その上述した釘が爪に食込む事について、従来のバールなどの爪は、爪の先端よりＶ字状に形成されると共にそのＶ字状の内側が鋭角に形成された爪であるため、釘を抜く時、テコの原理で抜くことは、Ｖ字状の奥方向に力が作用し、該爪で掛止する釘頭部の根元近傍に鋭角に形成された爪が食込み、特にその使用する木が堅い場合、大きな引抜き力が必要となり、これにより打込まれた釘の頭部が引きちぎれるほど該爪に食込み、よってその都度、抜取った釘を該爪から取除く手間を要し、本願発明は、引抜く釘の胴部を溝対面で支持しているので、釘が釘抜き支持部に食込むことなく、またそのことで釘を抜く時、筒状釘抜き体が擦れること無く安定して抜くことができる。【００２８】  而して、第３の解決手段の該筒状釘抜き体の複数の誘導部及び釘抜き支持部は、該誘導部及び釘抜き支持部同志が筒状釘抜き体の内腔部を介してそれぞれが対向する位置に配置したその効果は、
打込まれた釘が、該筒状釘抜き体の直径より長く突出している場合、その長く突出した釘を該筒状釘抜き体の下側の誘導部から上側の誘導部まで突出させた状態で釘の引抜きすることで、釘の長さに関係なく引抜く事ができる。
よって、本願発明は、実用上著大な効果を奏する。
【図面の簡単な説明】
【００２９】
【図１】  本発明の釘抜き装置１の正面図である。
【図２】  回転釘抜き本体３の斜視図である。
【図３】  他の実施例の回転釘抜き本体３ａの正面図である。
【図４】  他の実施例の回転釘抜き本体３ａの左側面図である。
【図５】  型枠１１の実施例を示す要部の正面図である。
【図６】  型枠１１ａにインサートネジ（アンカー）１３を使用する施工例で、施工手順を示す要部の正面図である。
【図７】  回転釘抜き本体３ａで型枠１１の釘９ａを抜く状態を示す要部の左側面図である。
【図８】  回転釘抜き本体３ａで型枠１１の釘９ａを抜く状態を示す要部の平面断面図である。
【図９】  回転釘抜き本体３ａで釘９ａを抜く状態を示す要部の平面断面図である。
【図１０】  回転釘抜き本体３ａで釘９ａを抜く一連の動作状態を示す要部の左側面図である。
【図１１】  回転釘抜き本体３ａでインサートの釘１４を抜く状態を示す要部の正面断面図である。
【図１２】  回転釘抜き本体３ａでインサートの釘１４を抜く状態を示す要部の左側面図である。
【図１３】  従来例の釘抜き１７で釘を抜く使用例を示す要部の斜視図である。
【発明を実施するための形態】
【００３０】  第１の実施例の無頭釘の釘抜き装置は、回転釘抜き本体の筒状釘抜き体に略Ｖ字状に形成した誘導部を設けると共に釘を抜く時に支持する釘抜き支持部を該誘導部の略Ｖ字状の奥側が連続して狭まる溝幅を釘のサイズ違いの胴部径に適合する程度の緩やかさで狭まるように設け、一方インパクトドライバーまたはインパクトレンチの締付け電動工具に該回転釘抜き本体を連結装着して釘抜きに使用するので、
釘頭部の有無に関わらず釘を容易な軽作業で抜くと言う課題を、
該締付け電動工具の回転方向の振動の衝撃力と回転力により、釘抜き支持部に支持させた釘を、該筒状釘抜き体の外周に沿って巻付けるように抜くことで、釘頭部の有無に関わらず容易な軽作業で釘を抜くことを実現させた。
【００３１】  また、第２の実施例の該緩やかに狭まる溝状の釘抜き支持部は、筒状釘抜き体の外周側から内腔部側に陥没するように直角に開設すると共にその陥没壁面同志がそれぞれ対面する溝に形成しているので、
前述第１の実施例に記載した目的に加え、抜けた釘が、該釘抜き支持部に食込むことなく釘を抜くと言う課題を、
筒状釘抜き体の外周側から内腔部側に陥没するように直角に開設すると共にその陥没壁面同志がそれぞれ対面する溝に形成することで、その陥没壁面同志がそれぞれ対面する該釘抜き支持部の面で釘の胴部を支持させることで、その釘から筒状釘抜き体が擦れること無く釘を該筒状釘抜き体の外周に沿って巻付けるように抜くことができ、抜けた釘が該釘抜き支持部に食込むことなく釘抜き支持部から釘が自ら外れるのを実現させた。
【００３２】  また、第３の実施例の複数の誘導部及び釘抜き支持部は、該誘導部及び釘抜き支持部同志が筒状釘抜き体の内腔部を介してそれぞれ対向する位置に配置しているので、
上述第１及び第２の実施例に記載した課題に加え、打込まれて長く突出した釘も抜けると言う課題を、
複数の誘導部及び釘抜き支持部同志が筒状釘抜き体の内腔部を介してそれぞれ対向する位置に配置させることで、長く突出する該釘を下側の誘導部及び釘抜き支持部から上部側の誘導部及び釘抜き支持部を突き抜けさせた状態で、締付け電動工具の回転力と振動により、該筒状釘抜き体の外周に沿って巻付けるように抜くことで実現させた。
【実施例】
【００３３】  本発明の各実施例を図面に基づいて説明すると、先ず、図１に示す実施例の１は、釘抜き装置で、該釘抜き装置１は、一般市販品のビスなどネジ部材の締付け等に使用するインパクトドライバーまたはインパクトレンチの締付け電動工具２と回転釘抜き本体３を有し、また締付け電動工具２には、通常品にはドライバー等のビット工具を着脱する回転連結部４が設けられている。【００３４】  そこで、図２に示す実施例の回転釘抜き本体３は、その基端側に回転連結部４に連結装着する連結部５を設け、他方の先端側は内腔部６を有する略ソケットレンチ状の筒状釘抜き体７を形成している。【００３５】  そして、図２に示す該筒状釘抜き体７は、その先端から基端方向に略Ｖ字状で所定長さの切込みを形成して誘導部８，８として、該誘導部８，８同志が対向する位置にそれぞれ二箇所配置して設け、該略Ｖ字状の誘導部８，８が大きく開いた形状からその奥側を緩やかに狭まる溝状に形成すると共に除去する釘９の直径に相当する溝幅位置を釘抜き支持部１０，１０として設け、且つ、後述する図４の回転釘抜き本体３ａに示すように、該筒状釘抜き体７ａの正面から見て外周側から内腔部側に、直角に陥没するようにその外周側と内腔部側間の板厚である陥没壁面同志をそれぞれ対面した溝を開設し、その緩やかに狭まる溝の該釘抜き支持部１０で釘９を支持する。
なお、図２に示す釘９は、頭部のない除去する釘９で、また本明細書で例示するものは一般的な市販品の釘で、頭部が有るものと無いもの、そして胴部及びその先端が尖ったものを例示している。【００３６】  而して、図３及び図４の回転釘抜き本体３ａは、他の実施例の回転釘抜き本体３ａで、図２に示す回転釘抜き本体３の誘導部８及び釘抜き支持部１０と同様の構成をさらに二箇所追加配置して四箇所に設けた回転釘抜き本体３ａとしている。【００３７】なお、図３及び図４に示す釘９ａは、頭部を有する釘９ａを例示している。【００３８】  而して、図５は、建築現場等のコンクリート打設に関連するコンクリート構造物に使用する型枠１１で、該型枠１１を釘９ａにより連結組み合わせてコンクリート構造物の型枠として組上げ、そしてコンクリート打設の硬化後、該型枠を解体取外する時、図示のように型枠１１に打込まれた該釘９ａ，９ａ，…を抜いて解体し、また型枠１１に残った釘９ａはその後抜いて型枠解体処理の解体が完了する。【００３９】  而して、図６は、建築現場等のコンクリート打設に関連するコンクリート構造物に使用する型枠１１ａの板体１２で、その型枠１１ａは、天井吊下げ金具のインサートネジ１３（アンカー）を設置するために、予めインサートネジ１３を型枠１１ａの板体１２にインサートの釘１４，１４，１４を介して固定設置される。【００４０】  そして、その図６に示す使用例に於いて、図示する各（ａ）、（ｂ）、（ｃ）は、先ず図示（ａ）について、型枠１１ａの板体１２のコンクリート打設側にインサートの釘１４，１４，１４を介してインサートネジ１３をハンマー等１５で打込み固定設置し、（ｂ）は、インサートネジ１３が固定設置された状態でコンクリート打設が行われ、（ｃ）は、コンクリート打設硬化後、型枠１１ａの板体１２を解体取外すと、インサートネジ１３はコンクリート構造物１６に埋め込まれた状態で残り、そしてインサートの釘１４，１４，１４は、型枠１１ａの板体１２に残った状態で取外されたものを示し、各（ａ）、（ｂ）、（ｃ）は、一連の工程手順を示している。【００４１】  而して、上述した図５に示す型枠１１及び図６に示す型枠１１ａの使用例に於いて、先ず図７に示す型枠１１についての使用例は、型枠１１の釘９ａを抜く状態を示す一使用例で、予め締付け電動工具２の回転連結部４に連結部５を介して回転釘抜き本体３ａを連結装着した釘抜き装置１で、型枠１１の釘９ａを抜く使用例である。【００４２】  そこで、該釘抜き装置１で型枠１１の釘９ａを抜くとき、図７及び図８に示すように、筒状釘抜き体７ａの誘導部８から該釘９ａの胴部に差入れ、該誘導部８の略Ｖ字状から緩やかに狭まる溝状位置の釘抜き支持部１０，１０の面で該釘９ａの胴部に狭持状に当接支持させ、その当接支持位置を該釘９ａの支持基準位置とし、その支持基準位置で、締付け電動工具２により回転方向の振動を持って筒状釘抜き体７ａを回転させる。【００４３】  その上述した回転釘抜き本体３ａの回転による型枠１１の釘９ａへの作用は、先ず、図９及び図１０の（ａ）に示すように、誘導部８から釘９ａの胴部に差入れ、該釘９ａの胴部を狭持状に支持基準位置の釘抜き支持部１０で当接支持させ、その状態で筒状���抜き体７ａを回転させると、図１０の（ｂ）に図示すように、釘抜き支持部１０，１０で狭持状に当接支持された釘９ａの胴部が折曲げられると共に該筒状釘抜き体７ａの外周に沿って巻付けるように回転方向に振動を加えながら引抜き、その回転時の振動は、一般市販品のインパクトドライバまたはインパクトレンチの締付け電動工具２で、回転と一定以上のトルクにより発生する振動を加えながら回転させ、その回転の振動が釘９ａの胴部に回転と振動の衝撃力を作用させることが釘を緩ませ、引抜き作用となる。【００４４】  そして、該筒状釘抜き体７ａのその引抜き作用は、釘抜き支持部１０で狭持状に当接支持された釘９ａが折曲げられ引抜かれるとき、図１０の（ｃ）に示すように釘９ａに加わる回転方向の主に（ロ）（ハ）の部分に回転方向の振動と回転力が作用して折曲げられ、図１０の（ｂ）に示すように釘抜き支持部１０で狭持状に当接支持され、その釘９ａが該筒状釘抜き体７ａの外周に沿って巻付けられるように回転方向に振動を加えながら引抜かれる。【００４５】  而して、図１１及び図１２に示すインサートネジ１３は、前記図６に示す頭部を持たないインサートの釘１４，１４，１４の引抜き状態を示し、その引抜き状態は、上述した図１０の実施例と略同様で、概説すると図１１及び図１２の（ａ）に示すように誘導部８の釘抜き支持部１０をインサートの釘１４の胴部に差入れ、該インサートの釘１４を狭持状に釘抜き支持部１０で当接支持させ、その状態で筒状釘抜き体７ａを回転方向の振動と回転力により、該筒状釘抜き体７ａの外周に沿って巻付けられるようにインサートの釘１４が引抜かれる。【００４６】  なお、釘９，９ａ及びインサートの釘１４の長さが、筒状釘抜き体７，７ａの直径より長い場合は、下側の釘抜き支持部１０から上部側の釘抜き支持部１０より釘９，９ａ及びインサートの釘１４を突出させた状態で使用する。【００４７】  また、本実施例で例示するインサートネジ１３は、一般市販品の釘頭部のないインサートの釘１４が３本組込まれてセットされたもので、他に２本、１本等用途に合わせてその他頭部のあるものなど、多数存在する。
【産業上の利用可能性】
【００４８】  本発明は、建築現場等でコンクリート構造物に使用する型枠パネル等に打込まれた釘または他の構造物等の木材等の不要釘を抜取る釘抜きに使用できる。
【符号の説明】
【００４９】  １  釘抜き装置
２  締付け電動工具
３，３ａ  回転釘抜き本体
４  回転連結部
５  連結部
６  内腔部
７，７ａ  筒状釘抜き体
８  誘導部
９  釘（無頭釘）
９ａ  釘（有頭釘）
１０  釘抜き支持部
１４  インサートの釘